(57)【要約】【課題】  フローティング電極を用いる逆回転ドメイン防止構造を採用した場合に、逆回転ドメインの発生を確実に防止することができる横電界方式の液晶表示装置を提供する。【解決手段】  第１液晶駆動電極（画素電極）７１と第２液晶駆動電極（共通電極）７２は、それぞれ、液晶駆動電界を液晶に作用させて表示を行う領域において互いに略平行に延在し且つ相互に噛合した櫛歯状部７１ａ、７２ａを持つ。画素電極７１の櫛歯状部７１ａの先端部の近傍に、電気的に孤立したフローティング電極８１が設けられ、そのフローティング電極８１は絶縁膜を間に挟んで前記先端部に重畳した重畳部Ｓ１を持つ。フローティング電極８１と画素電極７１との間に介在する静電容量は、フローティング電極８１と共通電極７２との間に介在する静電容量よりも大きく設定される。【選択図】    図１
2007279634.tif 000002
【特許請求の範囲】
【請求項１】
略一定の間隔をもって対向して配置される第１基板及び第２基板と、
前記第１基板及び前記第２基板の間に配置された液晶と、
前記第１基板及び前記第２基板のいずれか一方に形成された第１液晶駆動電極及び第２液晶駆動電極とを備え、
前記第１液晶駆動電極及び前記第２液晶駆動電極を用いて、前記第１基板及び前記第２基板に略平行な液晶駆動電界を前記液晶に印加することにより、前記液晶の分子の配向方位を前記第１基板及び前記第２基板に略平行な面内で回転させて表示を行う横電界方式の液晶表示装置であって、
前記第１液晶駆動電極及び前記第２液晶駆動電極は、それぞれ、前記液晶駆動電界を前記液晶に作用させて表示を行う領域において互いに略平行に延在し且つ相互に噛合した櫛歯状部を有しており、
前記第１液晶駆動電極の前記櫛歯状部の先端部の近傍には、電気的に孤立した第１フローティング電極が設けられていると共に、前記第１フローティング電極は絶縁膜を間に挟んで前記先端部に重畳した重畳部を有しており、
前記第１フローティング電極と前記第１液晶駆動電極との間に介在する静電容量は、前記第１フローティング電極と前記第２液晶駆動電極との間に介在する静電容量よりも大であることを特徴とする横電界方式の液晶表示装置。
【請求項２】
前記第１フローティング電極とそれと部分的に重畳した前記第１液晶駆動電極の前記櫛歯状部とを一体とみなした場合に、略Ｌ字型の屈曲形状をなしており、その略Ｌ字型の屈曲形状を前記第１フローティング電極の先端から前記重畳部を経由して前記第１液晶駆動電極の前記櫛歯状部まで辿るときの回転方向が、前記液晶の分子の正常回転方向と一致するように構成されている請求項１に記載の液晶表示装置。
【請求項３】
前記第２液晶駆動電極の前記櫛歯状部の基端部の近傍に、電気的に孤立した第２フローティング電極が設けられていると共に、前記第２フローティング電極は絶縁膜を間に挟んで前記基端部に重畳した重畳部を有しており、前記第２フローティング電極と前記第２液晶駆動電極との間に介在する静電容量は、前記第２フローティング電極と前記第１液晶駆動電極との間に介在する静電容量よりも大とされている請求項１または２に記載の液晶表示装置。
【請求項４】
前記第２フローティング電極が、前記第１フローティング電極とは異なる層上に配置されている請求項３に記載の液晶表示装置。
【請求項５】
前記第２液晶駆動電極の前記櫛歯状部の先端部の近傍に、電気的に孤立した第３フローティング電極が設けられていると共に、前記第３フローティング電極は絶縁膜を間に挟んで前記先端部に重畳した重畳部を有しており、前記第３フローティング電極と前記第２液晶駆動電極との間に介在する静電容量は、前記第３フローティング電極と前記第１液晶駆動電極との間に介在する静電容量よりも大とされている請求項１〜４のいずれか１項に記載の液晶表示装置。
【請求項６】
前記第１液晶駆動電極の前記櫛歯状部の基端部の近傍に、電気的に孤立した第４フローティング電極が設けられていると共に、前記第４フローティング電極は絶縁膜を間に挟んで前記基端部に重畳した重畳部を有しており、前記第４フローティング電極と前記第１液晶駆動電極との間に介在する静電容量は、前記第４フローティング電極と前記第２液晶駆動電極との間に介在する静電容量よりも大とされている請求項１〜５のいずれか１項に記載の液晶表示装置。
【請求項７】
前記第２液晶駆動電極の前記櫛歯状部の基端部の近傍に、当該櫛歯状部を前記第１液晶駆動電極の前記櫛歯状部に向かって張り出して形成された張出部が設けられている請求項１〜５のいずれか１項に記載の液晶表示装置。
【請求項８】
前記第２液晶駆動電極に電気的に接続された共通バスラインをさらに備えており、前記共通バスラインは、前記第２液晶駆動電極の前記櫛歯状部の先端部に向かって張り出して形成された張出部を有している請求項１〜４及び６のいずれか１項に記載の液晶表示装置。
【請求項９】
前記第１液晶駆動電極に電気的に接続された、薄膜トランジスタのソース電極をさらに備えており、前記ソース電極は、前記第１液晶駆動電極の前記櫛歯状部の基端部に向かって張り出して形成された張出部を有している請求項１〜８のいずれか１項に記載の液晶表示装置。
【請求項１０】
前記液晶駆動電界を前記液晶に作用させて表示を行う前記領域が、境界線によって薄膜トランジスタを含まない第１サブ領域と薄膜トランジスタを含む第２サブ領域に分けられていると共に、前記第１サブ領域と前記第２サブ領域は略Ｖ字形に屈曲せしめられている請求項１〜９のいずれか１項に記載の液晶表示装置。
【発明の詳細な説明】
【技術分野】
【０００１】
本発明は、液晶表示装置に関し、さらに言えば、横電界（In-Plane Switching、ＩＰＳ）方式のアクティブマトリックス型液晶表示装置に関する。
【背景技術】
【０００２】
一般に、液晶表示装置（ＬＣＤ）は薄型軽量・低消費電力といった特徴を有する。特に、縦横のマトリックス状に配列した個々の画素を能動素子によって駆動するアクティブマトリックス型液晶表示装置（ＡＭ−ＬＣＤ）は、高画質のフラットパネル・ディスプレイとして認知されており、中でも個々の画素をスイッチングする能動素子として薄膜トランジスタ（Thin-Film Transistor、ＴＦＴ）を用いたもの（ＴＦＴ−ＬＣＤ）が広く普及している。
【０００３】
多くのアクティブマトリックス型液晶表示装置では、ツイステッドネマチック（Twisted Nematic、ＴＮ）型液晶の電気光学効果を利用しており、２枚の基板間に挟持された液晶に当該基板面に概ね垂直な電界を印加して、当該液晶の分子を変位させることにより画像を表示する。これを「縦電界方式」という。一方、当該基板面に概ね平行な電界により、当該基板面に概ね平行な面内で液晶分子を変位させることによって画像を表示する「横電界方式」の液晶表示装置も、以前から知られている。この横電界方式の液晶表示装置についても、縦電界方式と同様に種々の改良がなされて来ており、そのいくつかを例示すると、以下のとおりである。
【０００４】
特許文献１（米国特許第３８０７８３１号明細書、１９７４年発行）には、横電界方式の液晶表示装置において、相互に噛合する櫛歯状電極を用いる構成が開示されている（クレーム１、ＦＩＧ．１〜４、ＦＩＧ．１１を参照）。
【０００５】
特許文献２（特開昭５６−０９１２７７号公報）には、ＴＮ型液晶の電気光学効果を利用したアクティブマトリックス型液晶表示装置において、特許文献１と同様の相互に噛合する櫛歯状電極を用いることにより、共通電極とドレインバスラインの間の寄生容量、あるいは共通電極とゲートバスラインとの間の寄生容量を低減する技術が開示されている（特許請求の範囲第２項、図７、図９〜１３を参照）。
【０００６】
特許文献３（特開平７−０３６０５８号公報）には、ＴＦＴを用いたアクティブマトリックス型液晶表示装置において、櫛歯状電極を使用しないで横電界方式を実現する技術が開示されている。この技術では、共通電極と映像信号電極または共通電極と液晶駆動電極を、絶縁膜を介して互いに異なる層に形成すると共に、共通電極または液晶駆動電極の平面形状をリング型、十字型、Ｔ字型、Π字型、エ字型あるいは梯子型といった形に形成している（特許請求の範囲第１項、第５項、図１〜２３を参照）。
【０００７】
特許文献４（特開平２００２−３２３７０６号公報）には、液晶を駆動する横電界を発生させるための画素電極および共通電極（いずれも櫛歯状である）を、個々の画素を駆動するための能動素子に信号を供給するバスライン（データ線）よりも上位に（つまり液晶層により近い位置に）絶縁層を挟んで配置する構成が開示されている（請求項１、第１実施形態、図１〜２を参照）。この構成によれば、共通電極をバスラインを覆うように形成してバスラインからの電界を遮蔽することができるため、縦クロストークに起因する表示不良を防止することができ、また、共通電極を透明な導電性材料で形成することにより、開口率を向上させることができる、とされている。
【０００８】
図９及び図１０は、従来の一般的な横電界方式のアクティブマトリックス型液晶表示装置の構成の一例を説明する図である。図９はその平面図であり、図１０（ａ）は図９のＸＡ−ＸＡ線に沿った断面図、図１０（ｂ）は図９のＸＢ−ＸＢ線に沿った断面図である。また、図１１（ａ）（ｂ）及び図１２（ｃ）（ｄ）は、この液晶表示装置の製造工程を示す要部平面図である。これらの図はいずれも、一つの画素領域についてのみ示している。
【０００９】
この液晶表示装置では、図９および図１１（ｂ）に示すように、図の横（左右）方向に延在する複数本のゲートバスライン１５５と、図の縦（上下）方向に延在する複数本のドレインバスライン１５６とに囲まれる矩形領域内に画素領域がそれぞれ形成されており、全体として複数の画素がマトリックス状に配列されている。複数本の共通バスライン１５３は、ゲートバスライン１５５と同様に、図の横方向に延在して形成されている。ゲートバスライン１５５とドレインバスライン１５６との各交点には、それぞれの画素に対応して薄膜トランジスタ（ＴＦＴ）１４５が形成されている。薄膜トランジスタ１４５のドレイン電極１４１、ソース電極１４２および半導体膜１４３は、それぞれ、図１１（ｂ）に示されたパターン（形状）で形成されている。
【００１０】
液晶駆動電界を発生させる画素電極１７１及び共通電極１７２は、それぞれ、相互に噛合する櫛歯状部（各画素領域内に突出した細い帯状部分）１７１ａ及び１７２ａを有している。ここでは、画素電極１７１の櫛歯状部１７１ａは２本、共通電極１７２の櫛歯状部１７２ａは１本としてある。図１０（ａ）に示すように、画素電極１７１は、有機層間膜１６０と保護絶縁膜１５９を貫通するコンタクトホール１６１を通じて薄膜トランジスタ１４５のソース電極１４２に電気的に接続されており、共通電極１７２は、有機層間膜１６０と保護絶縁膜１５９と層間絶縁膜１５７とを貫通するコンタクトホール１６２を通じて共通バスライン１５３に電気的に接続されている。薄膜トランジスタ１４５のソース電極１４２の一部は、層間絶縁膜１５７を介して共通バスライン１５３と重畳しており、この重畳部分によって当該画素領域用の保持容量を形成している。
【００１１】
この従来の液晶表示装置の断面構造は、図１０（ａ）及び（ｂ）に示すとおりであり、アクティブマトリックス基板と対向基板とを液晶を間に挟んで接合・一体化して構成されている。
【００１２】
アクティブマトリックス基板は、透明なガラス基板１１１と、そのガラス基板１１１の内表面上に形成された共通バスライン１５３、ゲートバスライン１５５、ドレインバスライン１５６、薄膜トランジスタ１４５、画素電極１７１及び共通電極１７２を有している。共通バスライン１５３およびゲートバスライン１５５は、ガラス基板１１１の内表面上に直接形成されており、それらは層間絶縁膜１５７によって覆われている。薄膜トランジスタ１４５のドレイン電極１４１、ソース電極１４２、半導体膜１４３およびドレインバスライン１５６は、層間絶縁膜１５７上に形成されている。したがって、共通バスライン１５３およびゲートバスライン１５５は、層間絶縁膜１５７によって、ドレイン電極１４１、ソース電極１４２、半導体膜１４３およびドレインバスライン１５６から電気的に絶縁されている。ガラス基板１１１上に形成されたこれらの構造は、コンタクトホール１６１および１６２の部位を除いて、保護絶縁膜１５９により被覆されている。コンタクトホール１６１および１６２に起因する段差は、保護絶縁膜１５９上に形成された有機層間膜１６０によって平坦化されている。画素電極１７１及び共通電極１７２は、有機層間膜１６０上に形成されている。上述したように、画素電極１７１は、コンタクトホール１６１を通じてソース電極１４２に電気的に接続され、共通電極１７２は、コンタクトホール１６２を通じて共通バスライン１５３に電気的に接続されている。なお、図１０（ａ）および（ｂ）の断面図は模式的な図であり、実際の段差構造を忠実に再現したものではない。
【００１３】
以上の構成を持つアクティブマトリックス基板の表面（画素電極１７１と共通電極１７２が形成されている面）は、有機高分子膜からなる配向膜１３１で覆われている。この配向膜１３１の表面には、液晶分子１２１の初期方向を所望の方向（図９の矢印を参照）に向けるための配向処理が施されている。
【００１４】
一方、対向基板（カラーフィルタ基板）は、透明なガラス基板１１２と、このガラス基板１１２の内表面上に各画素領域に対応して形成された、赤（Ｒ）・緑（Ｇ）・青（Ｂ）の３原色からなるカラーフィルタ（図示せず）と、各画素領域に対応する領域以外に形成された遮光用のブラックマトリックス（図示せず）とを備えている。このカラーフィルターとブラックマトリックスは、アクリル系のオーバーコート膜（図示せず）で覆われている。このオーバーコート膜の内表面上には、アクティブマトリックス基板と対向基板の間隔を制御するための柱状スペーサ（図示せず）が形成されている。そして、このオーバーコート膜の内表面は、有機高分子膜からなる配向膜１３２で覆われている。配向膜１３２の表面には、液晶分子１２１の初期方向を所望の方向（図９の矢印を参照）に向けるための配向処理が施されている。
【００１５】
上述した構成を持つアクティブマトリックス基板と対向基板は、配向膜１３１と配向膜１３２が形成された面をそれぞれ内側にして対向させ、所定間隔で重ね合わされている。両基板間の隙間には液晶１２０が導入されており、その液晶１２０を閉じ込めるために、両基板の周縁はシール材（図示せず）で封止されている。両基板の外側面には、一対の偏光板（図示せず）がそれぞれ配置されている。
【００１６】
配向膜１３１及び配向膜１３２の表面は、上述したとおり、無電界時に液晶分子１２１が所定の方向に沿って平行に配向するように一様に配向処理されているが、その配向処理の方向は、画素電極１７１および共通電極１７２の櫛歯状部１７１ａおよび１７２ａが延在する方向（図９の上下方向）に対して、時計回りに１５度傾いた方向とされている。
【００１７】
前記一対の偏光板の透過軸の方向は、互いに直交させてあり、それら一対の偏光板のうちの一方の透過軸は、一様に配向処理した液晶の初期配向方位（無電界時の配向方向）と一致せしめられている。
【００１８】
次に、図９及び図１０に示した従来の液晶表示装置の製造工程を、図１１及び図１２を参照しながら説明する。
【００１９】
アクティブマトリックス基板は、次のようにして製造される。まず、ガラス基板１１１の一面上にクロム（Ｃｒ）膜を形成してからこれをパターン化することにより、図１１（ａ）に示すような形状を持つ共通バスライン１５３とゲートバスライン１５５が形成される。その後、共通バスライン１５３及びゲートバスライン１５５を覆うように、窒化シリコン（ＳｉＮｘ）からなる層間絶縁膜１５７が、ガラス基板１１１の全面にわたって形成される。続いて、層間絶縁膜１５７上に、薄膜トランジスタの半導体膜１４３（通常はアモルファスシリコン（ａ−Ｓｉ）膜とされる）が、層間絶縁膜１５７を介して対応するゲートバスライン１５５と重なるように、島状のパターンで形成される。さらに、層間絶縁膜１５７上に、Ｃｒ膜を形成してからこれをパターン化することにより、ドレインバスライン１５６、ドレイン電極１４１およびソース電極１４２が形成される（図１１（ｂ）参照）。その後、層間絶縁膜１５７上に、これらの構造を覆うように、ＳｉＮｘからなる保護絶縁膜１５９と、感光性アクリル樹脂からなる有機層間膜１６０とがこの順に重ねて形成される。続いて、保護絶縁膜１５９と有機層間膜１６０を貫通する矩形のコンタクトホール１６１と、層間絶縁膜１５７と保護絶縁膜１５９と有機層間膜１６０を貫通する矩形のコンタクトホール１６２とが形成される（図１２（ｃ）参照）。そして、有機層間膜１６０上に、透明電極材料であるＩＴＯ（Indium Tin Oxide）膜を形成してからこれをパターン化することにより、有機層間膜１６０上に画素電極１７１と共通電極１７２が形成される。画素電極１７１は、コンタクトホール１６１を介してソース電極１４２に接触する。共通電極１７２は、コンタクトホール１６２を介して共通バスライン１５３に接触する（図１２（ｄ）及び図１０（ａ）参照）。こうしてアクティブマトリックス基板が製造される。
【００２０】
対向基板（カラーフィルタ基板）は、次のようにして製造される。まず、ガラス基板１１２の一面上に、カラーフィルターと遮光用のブラックマトリックス（いずれも図示せず）が形成され、その後、ガラス基板１１２の全面にわたって、前記カラーフィルターとブラックマトリックスを覆うようにオーバーコート膜（図示せず）が形成される。そして、このオーバーコート膜上に柱状スペーサ（図示せず）が形成される。こうして対向基板が製造される。
【００２１】
上記のようにして製造されたアクティブマトリックス基板と対向基板の表面には、それぞれ、ポリイミドからなる配向膜１３１と１３２が形成される。その後、配向膜１３１と１３２の表面は、一様に配向処理される。続いて、両基板が一定の間隔（例えば４．５μｍ程度）となるように重ね合わせられてから、液晶注入用の孔を除いて両基板の周縁がシール材で封止される。そして、真空チャンバー内で、液晶注入用の孔から両基板間の隙間内に所定のネマチック液晶（例えば屈折率異方性が０．０６７のネマチック液晶）が注入された後、液晶注入用の孔が閉鎖される。こうして両基板が接合・一体化されてから、両基板の外表面にそれぞれ偏光板（図示せず）が貼り合わせられると、図９及び図１０に示す構成を持つ従来の液晶表示装置が完成する。
【００２２】
以上述べたような従来の横電界方式の液晶表示装置では、画素電極１７１および共通電極１７２の櫛歯状部１７１ａ及び１７２ａの先端部の近傍において、液晶駆動電界の印加時に通常の液晶分子の回転方向とは逆の方向に液晶分子が回転してしまう領域（この領域は「逆回転ドメイン」と呼ばれる）が発生することが知られている。逆回転ドメインが発生した場合には、液晶表示装置全体の表示均一性が低下したり、長時間の動作によって表示の焼きつきが発生したりするなど、画質および信頼性の観点から問題を生じる恐れがあるため、その発生を防止することが必要である。
【００２３】
このような逆回転ドメイン防止構造については、上記特許文献４にも記載があるが、それ以外に、例えば特許文献５（特開平１０−２６７６７号公報）や特許文献６（特開２０００−３３０１２３号公報）にも記載されている。
【００２４】
上記特許文献４に記載された逆回転ドメイン防止構造は、その段落０２４７〜０２５６と図１９に記載されているように、画素補助電極と共通補助電極の形状をその内側に斜めのエッジ（縁）が形成されるようにパターン化する、というものである。すなわち、各画素領域の中央側にある画素補助電極と共通補助電極のエッジをそれぞれ鋸歯状に張り出すことにより、画素補助電極と共通補助電極のそれぞれにドレインバスラインに対して傾斜したエッジを持たせるのである。
【００２５】
特許文献５（特開平１０−２６７６７号公報）に記載された逆回転ドメイン防止構造は、その請求項１〜８、図１〜６に記載されているように、各画素内の平行電極対に挟まれた一つあるいは複数のサブ画素領域の各々において、前記平行電極対の延在する方向に垂直な方向を基準として、液晶の初期配向方位と液晶駆動電界の方位とが、前記サブ画素の全領域にわたって所定の範囲内に保持される、というものである。
【００２６】
特許文献６（特開２０００−３３０１２３号公報）に記載された逆回転ドメイン防止構造は、その請求項１〜３、図１〜５、実施形態１〜２に記載されているように、画素電極及び対向電極の少なくとも一方の先端部に、映像信号線に対する液晶の配向方向と反対の方向に屈曲した屈曲部を設ける、というものである。そして、前記屈曲部は、櫛状の画素電極あるいは櫛状の対向電極またはそれらの双方の先端に設けるのが好ましい、とされている。
【００２７】
図１３は、図９〜１２に示された従来の液晶表示装置において逆回転ドメインが発生する原理を模式的に説明する図である。説明をしやすくするため、図１３には、画素電極１７１及び共通電極１７２と液晶分子１２１のみが示してあり、これらの電極１７１及び１７２の櫛歯状部１７１ａと１７２ａによって画素領域内に発生せしめられる液晶駆動電界（電気力線）が模式的に描かれている。
【００２８】
この液晶駆動電界によって生じる液晶分子１２１の回転（この回転はアクティブマトリックス基板及び対向基板に対してほぼ平行な面内で起こる）の方向は、液晶分子１２１の初期配向方向と液晶駆動電界の方向との関係によって規定されるため、当該画素領域内のほとんどの部分で「時計回り」となる。しかしながら、画素電極１７１の櫛歯状部１７１ａの先端部の近傍では、図１３に示すように液晶駆動電界が放射状になるため、図中に影付きで示した領域では液晶分子が「反時計回り」に回転する。つまり、図中に影付きで示した領域が、液晶分子が「反時計回り」に回転する領域（すなわち逆回転ドメイン）ＤＭとなるのである。
【００２９】
図１４は、上記特許文献６に記載された逆回転ドメイン防止構造を採用した場合に、逆回転ドメインＤＭの発生が抑制される原理を模式的に示す図である。図１４の逆回転ドメイン防止構造は、画素電極１７１の櫛歯状部１７１ａの先端部に、それぞれ、櫛歯状部１７１ａの延在する方向に対して液晶分子の初期配向方向（配向処理方向）とは逆方向に屈曲した屈曲部１７１ｂを設けたものである。この屈曲部１７１ｂによって、櫛歯状部１７１ａの先端部の近傍における液晶駆動電界の方向が、図１４中に破線で示したようになり、放射状の液晶駆動電界が生じる範囲が縮小する。その結果、逆回転ドメインＤＭの発生が抑制される。
【００３０】
上記特許文献６には、図１４に示した櫛歯状部１７１ａの先端部に屈曲部１７１ｂを設ける構成の他に、図１５に示すように、櫛歯状部１７１ａの先端部に、絶縁膜（図示せず）を間に挟んで、櫛歯状部１７１ａの延在する方向に対して液晶の初期配向方向とは逆方向に傾斜した辺を有する細い帯状の導体１８０を設けた構成も開示されている（請求項８〜１０、図６〜９、実施形態３〜５を参照）。この導体１８０は、前記絶縁膜によって画素電極１７１及び共通電極１７２だけでなくその他の電極からも電気的に孤立せしめられているので、「フローティング電極」とも呼ばれる。
【００３１】
さらに、特許文献７（特開平１０−３０７２９５号公報）には、横電界を発生させる電極を屈曲させ、その屈曲部をもって電界作用時の液晶の駆動（回転）方向を領域ごとに意図的に異ならせ、斜め視野での表示の着色を軽減する技術が開示されている（請求項１、３、５、図１〜２、４、６を参照）。
【００３２】
例えば、第１のサブ領域における液晶分子の初期配向方位と第２のサブ領域における液晶分子の初期配向方位とが同一であり、電圧印加時には、各々のサブ領域の液晶分子が、配向方位を互いに対称な関係に保ちながら逆の回転方向に回転する構成とされる（請求項３を参照）。そして、この構成では、好ましくは、液晶分子を駆動する横電界は平行電極対により発生され、該平行電極対を構成する電極はＶ形に屈曲している構成とされる（請求項５を参照）。
【特許文献１】米国特許第３８０７８３１号明細書
【特許文献２】特開昭５６−０９１２７７号公報
【特許文献３】特開平７−０３６０５８号公報
【特許文献４】特開平２００２−３２３７０６号公報
【特許文献５】特開平１０−２６７６７号公報
【特許文献６】特開２０００−３３０１２３号公報
【特許文献７】特開平１０−３０７２９５号公報
【発明の開示】
【発明が解決しようとする課題】
【００３３】
本発明の発明者らによる検討結果によると、図１５に示したフローティング電極１８０を用いる逆回転ドメイン防止構造では、逆回転ドメインの発生を十分に抑制することができない、ということが判明した。その理由は次のとおりである。
【００３４】
図１５の逆回転ドメイン防止構造では、画素電極１７１の櫛歯状部１７１ａの先端部に、それぞれ、絶縁膜（図示せず）を介して電気的に孤立した導体からなるフローティング電極１８０が設けられている。したがって、画素電極１７１と共通電極１７２との間に電圧を印加して液晶駆動電界を発生させると、各フローティング電極１８０の電位は、画素電極１７１とフローティング電極１８０とそれらの間の絶縁膜によって形成される一つの静電容量と、共通電極１７２とフローティング電極１８０とそれらの間の絶縁膜によって形成される他の一つの静電容量とによって、所定値に定まる。図１６には、その結果として発生する液晶駆動電界（電気力線）の定性的な様子を、破線で示している。
【００３５】
図１６に示した電気力線の方向と液晶分子の初期配向方向との関係から分かるように、図１６中に影付きで示した領域では、液晶分子には通常とは逆（反時計回り）に回転させるトルクが作用する。すなわち、図１５の逆回転ドメイン防止構造を採用した場合でも、画素電極１７１の櫛歯状部１７１ａの先端部の近傍領域では逆回転ドメインＤＭの発生を抑制することができないのである。
【００３６】
本発明はこの点を考慮してなされたものであって、その目的とするところは、フローティング電極を用いる逆回転ドメイン防止構造を採用した場合において、逆回転ドメインの発生を確実に防止することができる横電界方式の液晶表示装置を提供することにある。
【００３７】
本発明の他の目的は、従来よりも画質・信頼性が優れた横電界方式の液晶表示装置を提供することにある。
【００３８】
ここに明記しない本発明の他の目的は、以下の説明及び添付図面から明らかであろう。
【課題を解決するための手段】
【００３９】
（１）  本発明の液晶表示装置は、
略一定の間隔をもって対向して配置される第１基板及び第２基板と、
前記第１基板及び前記第２基板の間に配置された液晶と、
前記第１基板及び前記第２基板のいずれか一方に形成された第１液晶駆動電極及び第２液晶駆動電極とを備え、
前記第１液晶駆動電極及び前記第２液晶駆動電極を用いて、前記第１基板及び前記第２基板に略平行な液晶駆動電界を前記液晶に印加することにより、前記液晶の分子の配向方位を前記第１基板及び前記第２基板に略平行な面内で回転させて表示を行う横電界方式の液晶表示装置であって、
前記第１液晶駆動電極及び前記第２液晶駆動電極は、それぞれ、前記液晶駆動電界を前記液晶に作用させて表示を行う領域において互いに略平行に延在し且つ相互に噛合した櫛歯状部を有しており、
前記第１液晶駆動電極の前記櫛歯状部の先端部の近傍には、電気的に孤立した第１フローティング電極が設けられていると共に、前記第１フローティング電極は絶縁膜を間に挟んで前記先端部に重畳した重畳部を有しており、
前記第１フローティング電極と前記第１液晶駆動電極との間に介在する静電容量は、前記第１フローティング電極と前記第２液晶駆動電極との間に介在する静電容量よりも大であることを特徴とするものである。
【００４０】
本発明の液晶表示装置では、上述したように、前記第１液晶駆動電極（例えば画素電極）の前記櫛歯状部の先端部の近傍に、電気的に孤立した第１フローティング電極が設けられていると共に、その第１フローティング電極は絶縁膜を間に挟んで前記先端部に重畳した重畳部を有している。そして、前記第１フローティング電極と前記第１液晶駆動電極との間に介在する静電容量は、前記第１フローティング電極と前記第２液晶駆動電極との間に介在する静電容量よりも大とされている。このため、前記第１液晶駆動電極と前記第２液晶駆動電極との間に電圧を印加して前記液晶駆動電界を生成して前記液晶に作用させた時、前記第１フローティング電極の電位は、前記第２液晶駆動電極の電位よりも前記第１液晶駆動電極の電位に近くなる。つまり、前記第１フローティング電極の近傍の電気力線は、図１４に示した従来の逆回転ドメイン防止構造を採用した場合の電気力線に近似したものとなる。よって、前記第１液晶駆動電極の前記先端部の近傍においても、前記液晶駆動電界の作用による前記液晶分子の回転方向を通常方向（正常方向）と同一になるように制御することができる。その結果、前記第１フローティング電極を用いる逆回転ドメイン防止構造を採用した横電界方式の液晶表示装置において、前記第１液晶駆動電極の前記先端部の近傍での逆回転ドメインの発生を確実に防止することができる。
【００４１】
また、以上のようにして逆回転ドメインの発生を確実に防止することができるので、従来よりも画質・信頼性が優れた液晶表示装置が得られる。
【００４２】
（２）  本発明の液晶表示装置の好ましい例では、前記第１フローティング電極とそれと部分的に重畳した前記第１液晶駆動電極の前記櫛歯状部とを一体とみなした場合に、略Ｌ字型の屈曲形状をなしており、その略Ｌ字型の屈曲形状を前記第１フローティング電極の先端から前記重畳部を経由して前記第１液晶駆動電極の前記櫛歯状部まで辿るときの回転方向が、前記液晶の分子の正常回転方向と一致するように構成される。この場合、本発明の効果がより確実に得られる、という利点がある。
【００４３】
本発明の液晶表示装置の他の好ましい例では、前記第２液晶駆動電極（例えば共通電極）の前記櫛歯状部の基端部の近傍に、電気的に孤立した第２フローティング電極が設けられていると共に、前記第２フローティング電極は絶縁膜を間に挟んで前記基端部に重畳した重畳部を有しており、前記第２フローティング電極と前記第２液晶駆動電極との間に介在する静電容量は、前記第２フローティング電極と前記第１液晶駆動電極との間に介在する静電容量よりも大とされる。この例では、前記第２液晶駆動電極の前記櫛歯状部の基端部の近傍に前記第２フローティング電極が追加されているため、前記第１液晶駆動電極と前記第２液晶駆動電極との間に電圧を印加して前記液晶駆動電界を生成して前記液晶に作用させた時に、前記第２フローティング電極の電位は、前記第１液晶駆動電極の電位よりも前記第２液晶駆動電極の電位に近くなる。つまり、前記第２フローティング電極の前記基端部の近傍においても、前記液晶駆動電界の作用による前記液晶分子の回転方向を通常方向（正常方向）と同一になるように制御することができる。その結果、画質・信頼性がいっそう改善される、という利点がある。
【００４４】
また、この例では、前記第２フローティング電極が、前記第１フローティング電極とは異なる層上に配置されるのが好ましい。この場合、絶縁層の有無により、前記第１フローティング電極と前記第１液晶駆動電極との間に介在する静電容量を、前記第１フローティング電極と前記第２液晶駆動電極との間に介在する静電容量よりも大とすることが容易に実現できる、という利点がある。
【００４５】
本発明の液晶表示装置のさらに他の好ましい例では、前記第２液晶駆動電極（例えば共通電極）の前記櫛歯状部の先端部の近傍に、電気的に孤立した第３フローティング電極が設けられていると共に、前記第３フローティング電極は絶縁膜を間に挟んで前記先端部に重畳した重畳部を有しており、前記第３フローティング電極と前記第２液晶駆動電極との間に介在する静電容量は、前記第３フローティング電極と前記第１液晶駆動電極との間に介在する静電容量よりも大とされる。この例では、前記第２液晶駆動電極の前記櫛歯状部の先端部の近傍に前記第３フローティング電極が追加されているため、前記第２液晶駆動電極の前記先端部の近傍においても、前記液晶駆動電界の作用による前記液晶分子の回転方向を通常方向（正常方向）と同一になるように制御することができる。このため、前記第２液晶駆動電極の前記先端部の近傍においても逆回転ドメインの発生を確実に防止することができ、それだけ画質・信頼性がいっそう改善される、という利点がある。
【００４６】
本発明の液晶表示装置のさらに他の好ましい例では、前記第１液晶駆動電極（例えば画素電極）の前記櫛歯状部の基端部の近傍に、電気的に孤立した第４フローティング電極が設けられていると共に、前記第４フローティング電極は絶縁膜を間に挟んで前記基端部に重畳した重畳部を有しており、前記第４フローティング電極と前記第１液晶駆動電極との間に介在する静電容量は、前記第４フローティング電極と前記第２液晶駆動電極との間に介在する静電容量よりも大とされる。この例では、前記第１液晶駆動電極の前記櫛歯状部の基端部の近傍に前記第４フローティング電極が追加されているため、前記第１液晶駆動電極の前記基端部の近傍においても、前記液晶駆動電界の作用による前記液晶分子の回転方向を通常方向（正常方向）と同一になるように制御することができる。その結果、画質・信頼性がいっそう改善される、という利点がある。
【００４７】
本発明の液晶表示装置のさらに他の好ましい例では、前記第２液晶駆動電極（例えば共通電極）の前記櫛歯状部の基端部の近傍に、当該櫛歯状部を前記第１液晶駆動電極の前記櫛歯状部に向かって張り出して形成された張出部が設けられる。この例では、前記第２液晶駆動電極の前記櫛歯状部の基端部の近傍に他のフローティング電極を追加しなくても、当該他のフローティング電極を追加した場合に近似した効果が得られる、という利点がある。
【００４８】
本発明の液晶表示装置のさらに他の好ましい例では、前記第２液晶駆動電極（例えば共通電極）に電気的に接続された共通バスラインをさらに備えており、前記共通バスラインは、前記第２液晶駆動電極の前記櫛歯状部の先端部に向かって張り出して形成された張出部を有している。この例では、前記第２液晶駆動電極の前記櫛歯状部の先端部の近傍に他のフローティング電極を追加しなくても、当該他のフローティング電極を追加した場合に近似した効果が得られる、という利点がある。
【００４９】
本発明の液晶表示装置のさらに他の好ましい例では、前記第１液晶駆動電極（例えば画素電極）に電気的に接続された、薄膜トランジスタのソース電極をさらに備えており、前記ソース電極は、前記第１液晶駆動電極の前記櫛歯状部の基端部に向かって張り出して形成された張出部を有している。この例では、前記第１液晶駆動電極の前記櫛歯状部の基端部の近傍に他のフローティング電極を追加しなくても、当該他のフローティング電極を追加した場合に近似した効果が得られる、という利点がある。
【００５０】
本発明の液晶表示装置のさらに他の好ましい例では、前記液晶駆動電界を前記液晶に作用させて表示を行う前記領域が、境界線によって薄膜トランジスタを含まない第１サブ領域と薄膜トランジスタを含む第２サブ領域に分けられていると共に、前記第１サブ領域と前記第２サブ領域は略Ｖ字形に屈曲せしめられている。この例では、前記第１サブ領域及び前記第２サブ領域において前記液晶の分子の回転方向が互いに異なるように設定できるため、視角変化に伴う表示の色付きを抑制することができる、という利点がある。
【発明の効果】
【００５１】
本発明の液晶表示装置によれば、（ａ）フローティング電極を用いる逆回転ドメイン防止構造を採用した横電界方式の液晶表示装置において、逆回転ドメインの発生を確実に防止することができる、（ｂ）従来よりも画質・信頼性が優れた液晶表示装置が得られる、という効果が得られる。
【発明を実施するための最良の形態】
【００５２】
以下、本発明の好適な実施の形態について、添付図面を参照して詳細に説明する。
【００５３】
（本発明の基本概念）
まず最初に、図１及び図２を参照しながら、本発明の基本概念について説明する。図１は本発明に係る横電界方式の液晶表示装置の画素電極及び共通電極の概略構成を例示した要部拡大平面図であり、図２は同液晶表示装置の画素電極・共通電極間に生じる液晶駆動電界（電気力線）を説明するための要部拡大平面図である。両図とも一つの画素領域についてのみ示している。
【００５４】
図１に示す構成は、従来技術として図１５に示した構成と同様に、２本の櫛歯状部７１ａを有する画素電極７１と、１本の櫛歯状部７２ａを有する共通電極７２を持つ。櫛歯状部７１ａと櫛歯状部７２ａは、相互に噛合している。画素電極７１と共通電極７２は、いずれも液晶駆動電極として機能する。
【００５５】
また、逆回転ドメイン防止構造として、画素電極７１の各櫛歯状部７１ａの先端部に、電気的に孤立した導体からなるフローティング電極８１が設けられている。各フローティング電極８１は、細い帯を屈曲して２本の腕からなる略Ｖ字形とされており、その一方の腕は、対応する櫛歯状部７１ａの先端から所定長さにわたって当該櫛歯状部７１ａと重なり合って重畳部Ｓ１を形成している。重畳部Ｓ１の幅は、ここでは、当該櫛歯状部７１ａの幅とほぼ同じとしてある。各フローティング電極８１の他方の腕に相当する各フローティング電極８１の非重畳部は、対応する櫛歯状部７１ａの延在する方向（図１では上下方向）に対して液晶の初期配向方向（図１中の矢印を参照）とは逆方向（図１では左側）に傾斜している。各フローティング電極８１は、絶縁膜（図示せず。この絶縁膜は、後述する第１実施形態では、図３の保護絶縁膜５９及び有機層間膜６０に対応する）を間に挟んで櫛歯状部７１ａとは電気的に絶縁されている。また、各フローティング電極８１は、共通電極７２（及び図示しない他の電極）とも電気的に絶縁されている。つまり、各フローティング電極８１は電気的に孤立している。
【００５６】
以上のような構成を持つフローティング電極８１は、それぞれ、対応する画素電極７１の櫛歯状部７１ａとの間に前記絶縁膜を通じて介在する静電容量（フローティング電極−画素電極間の静電容量）Ｃ１が、共通電極７２との間に介在する静電容量（フローティング電極−共通電極間の静電容量）Ｃ２よりも大となるように形成・配置されている。具体的に言えば、本発明の効果を考慮すると、フローティング電極−画素電極間の静電容量Ｃ１はフローティング電極−共通電極間の静電容量Ｃ２の２倍以上とされるのが好ましいが、５倍以上とするのがより好ましく、１０倍以上とするのがさらに好ましい。
【００５７】
このような静電容量Ｃ１及びＣ２の大小関係は、フローティング電極８１とそれに対応する画素電極７１との重畳部Ｓ１の面積を適切に設定すると同時に、フローティング電極８１と共通電極７２とが重畳部を持たないようにするか、あるいはフローティング電極８１と共通電極７２の重畳部の面積を最小限とすることにより、容易に実現される。図１の構成では、フローティング電極８１と共通電極７２とが重畳部を持たないようにしている。また、重畳部Ｓ１においてフローティング電極８１とそれに対応する画素電極７１の櫛歯状部７１ａの間に介在する前記絶縁膜の膜厚ならびに誘電率も、静電容量Ｃ１及びＣ２を決定する要素であるから、これらについてもあわせて考慮するのが好ましい。所望の静電容量Ｃ１とＣ２の関係をいっそう容易に実現できるからである。
【００５８】
図２は、図１に示した構成の画素電極７１と共通電極７２との間に電圧を印加し、液晶駆動電界を発生させた様子を示す。図２では、液晶駆動電界の電気力線の様子を破線で示してある。
図１の電極構成によると、画素電極７１と共通電極７２との間に電圧を印加した際のフローティング電極８１の電位は、フローティング電極−画素電極間の静電容量Ｃ１の大きさと、フローティング電極−共通電極間の静電容量Ｃ２の大きさとの比によって定まる。たとえば、静電容量Ｃ１が静電容量Ｃ２の１０倍の大きさであったとすると、フローティング電極８１の電位は、画素電極７１の電位と共通電極７２の電位とを１：（１０＋１）＝１：１１に内分して得られる電位となる。つまり、フローティング電極８１の電位は、画素電極７１の電位に極めて近くなる。なお、この時に、映像信号に伴って液晶駆動電界によって液晶分子の配向状態が変化することにより、静電容量Ｃ１及びＣ２の値が変化したとしても、フローティング電極−画素電極間の静電容量Ｃ１が、フローティング電極−共通電極間の静電容量Ｃ２の値よりも十分に大きな値を保っているようにするのが好ましい。
【００５９】
上記の通り、図１の構成によると、静電容量Ｃ１及びＣ２の大きさの比の設定如何によって変化するが、フローティング電極８１の電位は画素電極７１の電位に近くなる。したがって、画素電極７１の各櫛歯状部７１ａの先端部近傍に発生する液晶駆動電界の様子は、図１４に示した従来の電極構成（画素電極１７１の各櫛歯状部１７１ａの先端部を屈曲させた構成）の場合のそれに近似したものとなる。よって、図１４に示した電極構成の場合と同じ理由により、逆回転ドメインの発生を抑制して最小限にすることが可能となる。
【００６０】
また、図１４に示した従来の電極構成では、画素電極７１と共通電極７２とが同一層の同じ透明電極材料により形成されているため、画素電極７１と共通電極７２との間隙において電極間ショートが発生しないように、画素電極７１と共通電極７２の間にある程度の距離を確保する必要がある。これに対し、本発明に係る図１の電極構成では、フローティング電極８１が前記絶縁膜を挟んで画素電極７１に隣接して配置されるため、画素電極７１及び共通電極７２とフローティング電極８１とを異なる層の電極材料により形成することができ、したがって、電極間ショートによる不良発生確率を上昇させることなく、画素電極７１に近い電位を与えるフローティング電極８１を共通電極７２のごく近傍にまで延ばして配置することができる。その結果、逆回転ドメインが発生する領域を図１４の電極構成の場合よりもさらに小さくすることができる。つまり、均一で安定した表示を行うことができる。
【００６１】
このように、図１に示した本発明の電極構成によれば、従来よりも優れた画質が得られるだけでなく、信頼性の面でも改善された液晶表示装置を実現することができる。
【００６２】
以上で本発明の基本概念について説明したから、次に本発明の好適な実施形態について説明する。
【００６３】
（第１実施形態）
図３は、本発明の第１実施形態に係る横電界方式のアクティブマトリックス型液晶表示装置の構成を説明する図であり、図３（ａ）はその平面図、図３（ｂ）は図３（ａ）のＩＩＩＢ−ＩＩＩＢ線に沿った断面図である。また、図４（ａ）（ｂ）及び図５（ｃ）（ｄ）は、この液晶表示装置の製造工程を示す要部平面図である。これらの図はいずれも、一つの画素領域についてのみ示している。
【００６４】
この液晶表示装置では、図３（ａ）及び図４（ｂ）に示すように、図の横（左右）方向に延在する複数本のゲートバスライン５５と、両図の縦（上下）方向に延在する複数本のドレインバスライン５６とに囲まれる矩形領域内に画素領域がそれぞれ形成されており、全体として複数の画素がマトリックス状に配列されている。複数本の共通バスライン５３は、ゲートバスライン５５と同様に、両図の横方向に延在して形成されている。ゲートバスライン５５とドレインバスライン５６との各交点には、それぞれの画素に対応するように、薄膜トランジスタ（ＴＦＴ）４５が形成されている。薄膜トランジスタ４５のドレイン電極４１、ソース電極４２および半導体膜４３は、それぞれ、図４（ｂ）に示されたパターン（形状）で形成されている。
【００６５】
液晶駆動電界を発生させる画素電極７１及び共通電極７２は、それぞれ、図３（ａ）に示すような形状を有している。すなわち、共通電極７２は、当該画素領域を囲むように形成された枠状の主要部と、その主要部の内部空間においてその上辺部の中央から下辺部に向かって延在する１本の櫛歯状部（当該画素領域内に下向きに突出した細い帯状部分）７２ａとを有している。この共通電極７２の主要部は、他の画素領域用の共通電極（図示せず）の主要部と一体的に形成されている。この共通電極７２の櫛歯状部７２ａの下端は、その下辺部には接していない。他方、画素電極７１は、共通電極７２の矩形の内部空間に配置されており、ソース電極４２に重ねて配置された矩形板状の主要部と、その主要部の上辺の両端から共通電極７２の上辺部に向かってそれぞれ延在する２本の櫛歯状部（当該画素領域内に上向きに突出した細い帯状部分）７１ａとを有している。これらの櫛歯状部７１ａは、共通電極７２の櫛歯状部７２ａの両側にそれぞれ配置されており、したがって当該画素領域内で相互に噛合した形でレイアウトされている。櫛歯状部７２ａとその両側の櫛歯状部７１ａとの間隔と、各櫛歯状部７１ａと共通電極７２の主要部との間隔は、ほぼ等しい。
【００６６】
画素電極７１（の主要部）は、有機層間膜６０と層間絶縁膜５９を貫通するコンタクトホール６１を通じて薄膜トランジスタ４５のソース電極４２に電気的に接続されており、共通電極７２（の主要部）は、有機層間膜６０と層間絶縁膜５９及び５７とを貫通するコンタクトホール６２を通じて共通バスライン５３に電気的に接続されている。その接続態様は、図１０（ａ）に示した従来の液晶表示装置の場合と同じであるから、その部分の図は省略している。薄膜トランジスタ４５のソース電極４２の一部は、層間絶縁膜５７を介して共通バスライン５３と重畳しており、この重畳部分によって当該画素領域用の保持容量を形成している。
【００６７】
画素電極７１の各櫛歯状部７１ａの先端部及び基端部には、それぞれ、電気的に孤立した導体からなるフローティング電極８１が配置されている。これらのフローティング電極８１は、図３（ｂ）に明瞭に示すように、画素電極７１よりも下層に配置されており、それらの間には有機層間膜６０と保護絶縁膜５９が介在せしめられている。各フローティング電極８１の形状は、図４（ｂ）に示した通りであり、同図の横方向に延在する部分と縦方向に延在する部分からなる略Ｌ字形である。
【００６８】
各櫛歯状部７１ａの先端部の近傍にあるフローティング電極８１の縦方向に延在する部分は、大部分が当該櫛歯状部７１ａと重ね合わされていて、重畳部Ｓ１を形成している。当該フローティング電極８１の横方向に延在する部分は、当該櫛歯状部７１ａと重ね合わされておらず、この部分（当該フローティング電極８１の非重畳部）は、当該櫛歯状部７１ａの先端部から左横方向に突出している。当該フローティング電極８１は、櫛歯状部７１ａとの重畳部Ｓ１を起点として、当該櫛歯状部７１ａの延在方向（図３（ａ）の上下方向）から左側に突出しており、その結果、当該フローティング電極８１と対応する櫛歯状部７１ａとを一体とみなした場合には、略Ｌ字型の屈曲形状をなしている。そして、このＬ字型の屈曲形状を、当該フローティング電極８１の先端から重畳部Ｓ１を経由して対応する画素電極７１の櫛歯状部７１ａの基端部まで辿るときの回転方向は、時計回りとなっており、液晶分子２１の通常の回転方向（ここでは時計回り。図３（ａ）中の太い矢印を参照）と一致している。
【００６９】
画素電極７１の各櫛歯状部７１ａの基端部の近傍にあるフローティング電極８１についても、これとほぼ同様である。すなわち、各櫛歯状部７１ａの基端部の近傍にあるフローティング電極８１の上下方向に延在する部分は、当該櫛歯状部７１ａと重ね合わされていて、重畳部Ｓ１’を形成している。当該フローティング電極８１の左右方向に延在する部分は、当該櫛歯状部７１ａと重ね合わされておらず、この部分（当該フローティング電極８１の非重畳部）は、当該櫛歯状部７１ａの先端部から右横方向に突出している。当該フローティング電極８１は、櫛歯状部７１ａとの重畳部Ｓ１’を起点として、当該櫛歯状部７１ａの延在方向（上下方向）から右側に突出しており、その結果、当該フローティング電極８１と対応する櫛歯状部７１ａとを一体とみなした場合には、略Ｌ字型の屈曲形状をなしている。そして、このＬ字型屈曲形状を、当該フローティング電極８１の先端から重畳部Ｓ１’を経由して対応する画素電極７１の櫛歯状部７１ａの先端部まで辿るときの回転方向は、やはり時計回りとなっており、液晶分子２１の通常の回転方向と一致している。
【００７０】
共通電極７２の櫛歯状部７２ａの先端部及び基端部には、それぞれ、電気的に孤立した導体からなるフローティング電極８２が配置されている。これらのフローティング電極８２は、図３（ｂ）に明瞭に示すように、共通電極７２よりも下層に配置されており、それらの間には有機層間膜６０と保護絶縁膜５９と層間絶縁膜５７が介在せしめられている。各フローティング電極８２の形状は、図４（ａ）に示した通りであり、横方向に延在する部分と縦方向に延在する部分からなる略Ｌ字形である。各フローティング電極８２の形状は、ここでは、上述したフローティング電極８１と同じとしてある。
【００７１】
共通電極７２の櫛歯状部７２ａの先端部の近傍にあるフローティング電極８２の上下方向に延在する部分は、当該櫛歯状部７２ａと重ね合わされていて、重畳部Ｓ２を形成している。当該フローティング電極８２の左右方向に延在する部分は、当該櫛歯状部７２ａと重ね合わされておらず、この部分（当該フローティング電極８２の非重畳部）は、当該櫛歯状部７２ａの先端部から右横方向に突出している。当該フローティング電極８２は、櫛歯状部７２ａとの重畳部Ｓ２を起点として、当該櫛歯状部７２ａの延在方向から右側に突出しており、その結果、当該フローティング電極８２と櫛歯状部７２ａとを一体とみなした場合には、略Ｌ字型の屈曲形状をなしている。そして、このＬ字型屈曲形状を、当該フローティング電極８２の先端から重畳部Ｓ２を経由して櫛歯状部７２ａの基端部まで辿るときの回転方向は、時計回りとなっており、液晶分子２１の通常の回転方向と一致している。
【００７２】
共通電極７２の櫛歯状部７２ａの基端部の近傍にあるフローティング電極８２についても、これとほぼ同様である。すなわち、櫛歯状部７２ａの基端部の近傍にあるフローティング電極８２の上下方向に延在する部分は、当該櫛歯状部７２ａと重ね合わされていて、重畳部Ｓ２’を形成している。当該フローティング電極８２の左右方向に延在する部分は、当該櫛歯状部７２ａと重ね合わされておらず、この部分（当該フローティング電極８２の非重畳部）は、当該櫛歯状部７２ａの先端部から左横方向に突出している。当該フローティング電極８２は、櫛歯状部７２ａとの重畳部Ｓ２’を起点として、当該櫛歯状部７２ａの延在方向から左側に突出しており、その結果、当該フローティング電極８２と櫛歯状部７２ａとを一体とみなした場合には、略Ｌ字型の屈曲形状をなしている。そして、このＬ字型屈曲形状を、当該フローティング電極８２の先端から重畳部Ｓ２’を経由して櫛歯状部７２ａまで辿るときの回転方向は、やはり時計回りとなっており、液晶分子２１の通常の回転方向と一致している。
【００７３】
共通電極７２の主要部の右上角部の内側と左下角部の内側にも、それぞれ、電気的に孤立した導体からなるフローティング電極８２が配置されている。これらのフローティング電極８２も、共通電極７２よりも下層に配置されており、それらの間には有機層間膜６０と保護絶縁膜５９と層間絶縁膜５７が介在せしめられている。各フローティング電極８２の形状は、図４（ａ）に示した通りであり、左右方向に延在する部分と上下方向に延在する部分からなる略Ｌ字形である。各フローティング電極８２の形状は、ここでは、上述したフローティング電極８２と同じとしてある。
【００７４】
共通電極７２の主要部の右上角部の内側にあるフローティング電極８２の上下方向に延在する部分は、当該主要部と重ね合わされていて、重畳部Ｓ２’’を形成している。当該フローティング電極８２の左右方向に延在する部分は、当該主要部と重ね合わされておらず、この部分（当該フローティング電極８２の非重畳部）は、当該主要部から左横方向に突出している。当該フローティング電極８２は、当該主要部との重畳部Ｓ２’’を起点として、当該主要部の延在方向（上下方向）から左側に突出しており、その結果、当該フローティング電極８２と当該主要部の右側の帯状部分とを一体とみなした場合には、略Ｌ字型の屈曲形状をなしている。そして、このＬ字型屈曲形状を、当該フローティング電極８２の先端から重畳部Ｓ２’’を経由して当該主要部の下端部まで辿るときの回転方向は、時計回りとなっており、液晶分子２１の通常の回転方向と一致している。
【００７５】
共通電極７２の主要部の左下角部の内側にあるフローティング電極８２の上下方向に延在する部分も、その右上角部の内側にあるフローティング電極８２の場合と同様に、当該主要部と重ね合わされていて、重畳部Ｓ２’’を形成している。当該フローティング電極８２の左右方向に延在する部分は、当該主要部と重ね合わされておらず、この部分（当該フローティング電極８２の非重畳部）は、当該主要部から右横方向に突出している。当該フローティング電極８２は、当該主要部との重畳部Ｓ２’’を起点として、当該主要部の延在方向（上下方向）から右側に突出しており、その結果、当該フローティング電極８２と当該主要部の左側の帯状部分とを一体とみなした場合には、略Ｌ字型の屈曲形状をなしている。そして、このＬ字型屈曲形状を、当該フローティング電極８２の先端から重畳部Ｓ２’’を経由して当該主要部の上端部まで辿るときの回転方向は、時計回りとなっており、液晶分子２１の通常の回転方向と一致している。
【００７６】
本実施形態に係る液晶表示装置の断面構造は、図３（ｂ）に示すとおりであり、アクティブマトリックス基板と対向基板とを液晶を間に挟んで接合・一体化したものである。
【００７７】
アクティブマトリックス基板は、透明なガラス基板１１と、そのガラス基板１１の内表面上に形成された共通バスライン５３、ゲートバスライン５５、ドレインバスライン５６、薄膜トランジスタ４５、画素電極７１及び共通電極７２、そしてフローティング電極８１及び８２を有している。共通バスライン５３とゲートバスライン５５とフローティング電極８２は、ガラス基板１１の内表面上に直接形成されており、それらは層間絶縁膜５７によって覆われている。薄膜トランジスタ４５のドレイン電極４１、ソース電極４２、半導体膜４３、ドレインバスライン５６及びフローティング電極８１は、層間絶縁膜５７上に形成されている。したがって、共通バスライン５３とゲートバスライン５５とフローティング電極８２は、層間絶縁膜５７によって、ドレイン電極４１、ソース電極４２、半導体膜４３、ドレインバスライン５６及びフローティング電極８１から電気的に絶縁されている。ガラス基板１１上に形成されたこれらの構造は、コンタクトホール６１および６２の部位を除いて、保護絶縁膜５９により被覆されている。コンタクトホール６１および６２に起因する段差は、保護絶縁膜５９上に形成された有機層間膜６０によって平坦化されている。画素電極７１及び共通電極７２は、有機層間膜６０上に形成されている。上述したように、画素電極７１は、コンタクトホール６１を通じてソース電極４２に電気的に接続され、共通電極７２は、コンタクトホール６２を通じて共通バスライン５３に電気的に接続されている。なお、図３（ｂ）の断面図は模式的な図であり、実際の段差構造を忠実に再現したものではない。
【００７８】
以上の構成を持つアクティブマトリックス基板の表面（画素電極７１と共通電極７２が形成されている面）は、有機高分子膜からなる配向膜３１で覆われている。この配向膜３１の表面には、液晶分子２１の初期方向を所望の方向（図３（ａ）の矢印を参照）に向けるための配向処理が施されている。
【００７９】
一方、対向基板は、透明なガラス基板１２と、このガラス基板１２の内表面上に各画素領域に対応して形成された、Ｒ・Ｇ・Ｂの３原色からなるカラーフィルター（図示せず）と、各画素領域に対応する領域以外に形成された遮光用のブラックマトリックス（図示せず）とを備えている。このカラーフィルターとブラックマトリックスは、アクリル系のオーバーコート膜（図示せず）で覆われている。このオーバーコート膜の内表面上には、アクティブマトリックス基板と対向基板の間隔を制御するための柱状スペーサ（図示せず）が形成されている。そして、このオーバーコート膜の内表面は、有機高分子膜からなる配向膜３２で覆われている。配向膜３２の表面には、液晶分子２１の初期方向を所望の方向（図３（ａ）の矢印を参照）に向けるための配向処理が施されている。
【００８０】
上述した構成を持つアクティブマトリックス基板と対向基板は、配向膜３１と配向膜３２が形成された面をそれぞれ内側にして、所定間隔で重ね合わされている。両基板間の隙間には液晶２０が導入されており、その液晶２０を閉じ込めるために、両基板の周縁はシール材（図示せず）で封止されている。両基板の外側面には、一対の偏光板（図示せず）がそれぞれ配置されている。
【００８１】
配向膜３１及び配向膜３２の表面は、上述したとおり、無電界時に液晶分子２１が所定の方向に沿って平行に配向するように一様に配向処理されているが、その配向処理の方向は、画素電極７１および共通電極７２の櫛歯状部７１ａおよび７２ａが延在する方向（図３（ａ）の上下方向）に対して、時計回りに１５度傾いた方向とされている。
【００８２】
前記一対の偏光板の透過軸の方向は、互いに直交させてあり、それら一対の偏光板のうちの一方の透過軸は、一様に配向処理した液晶の初期配向方位（無電界時の配向方向）と一致せしめられている。
【００８３】
画素電極７１用に設けられた上記フローティング電極８１は、いずれも、保護絶縁膜５９及び有機層間膜６０を間に介在させて、対応する画素電極７１の櫛歯状部７１ａと対向しているから、画素電極７１との間に静電容量（フローティング電極−画素電極間の静電容量）Ｃ１を持つ。また、保護絶縁膜５９及び有機層間膜６０を間に介在させて、共通電極７２（の主要部または櫛歯状部７２ａ）とも対向しているから、共通電極７２との間に静電容量（フローティング電極−共通電極間の静電容量）Ｃ２を持つ。図３（ｂ）から分かるように、フローティング電極８１と画素電極７１との距離は、フローティング電極８２と共通電極７２との距離よりも小さく設定されているから、これら二つの静電容量Ｃ１及びＣ２の関係はＣ１＞Ｃ２であることが明らかであるが、フローティング電極８１の重畳部Ｓ１及びＳ１’の面積との関係を調整すること、そして、フローティング電極８１と画素電極７１との間に介在する保護絶縁膜５９及び有機層間膜６０の膜厚ならびに誘電率を調整することによって、本発明の基本概念の項で既述したように、Ｃ１がＣ２の２倍以上とし、できれば５倍以上または１０倍以上とするのが好ましい。
【００８４】
静電容量Ｃ１及びＣ２の大きさの比をＣ１＞Ｃ２となるようにすることにより、図３のフローティング電極８１の電位を画素電極７１の電位に近つけることができるため、画素電極７１の各櫛歯状部７１ａの先端部近傍に発生する液晶駆動電界の様子は、図１４に示した電極構成（画素電極１７１の各櫛歯状部１７１ａの先端部を屈曲させた構成）の場合のそれに近似したものとなる。よって、図１４に示した電極構成の場合と同じ理由により、各櫛歯状部７１ａの先端部近傍における逆回転ドメインの発生を効果的に抑制することができる。そして、Ｃ１がＣ２の２倍以上、できれば５倍または１０倍以上とすることにより、逆回転ドメインの発生を最小限に抑えることが可能となる。
【００８５】
共通電極７２用に設けられた上記フローティング電極８２についても、上記フローティング電極８１と同様のことが言える。すなわち、フローティング電極８２は、いずれも、層間絶縁膜５７、保護絶縁膜５９及び有機層間膜６０を間に介在させて、共通電極７２の櫛歯状部７２ａまたは主要部と対向しているから、共通電極７２との間に静電容量（フローティング電極−共通電極間の静電容量）Ｃ３を持つ。また、層間絶縁膜５７、保護絶縁膜５９及び有機層間膜６０を間に介在させて、対応する画素電極７１（の主要部または櫛歯状部７１ａ）とも対向しているから、画素電極７１との間に静電容量（フローティング電極−画素電極間の静電容量）Ｃ４を持つ。これら二つの静電容量Ｃ３及びＣ４の関係は、Ｃ３＞Ｃ４となるように設定されている。この大小関係は、本発明の基本概念の項で既述したように、Ｃ３がＣ４の２倍以上であるのが好ましく、５倍以上であるのがより好ましく、１０倍以上であるのがさらに好ましい。
【００８６】
Ｃ３とＣ４のこのような大小関係は、重畳部Ｓ２及びＳ２’の面積を適切に設定すると同時に、フローティング電極８２と画素電極７１とが重畳部を持たないようにすることにより、実現されている。その際に、重畳部Ｓ２及びＳ２’においてフローティング電極８２と対応する画素電極７１の櫛歯状部７１ａの間に介在する層間絶縁膜５７、保護絶縁膜５９及び有機層間膜６０の膜厚ならびに誘電率も、併せて考慮する。
【００８７】
静電容量Ｃ３及びＣ４の大きさの比をＣ３＞Ｃ４となるようにすることにより、図３のフローティング電極８２の電位を共通電極７２の電位に近づけることができるため、共通電極７２の各櫛歯状部７２ａの先端部近傍に発生する液晶駆動電界の様子は、図１４に示した電極構成（画素電極１７１の各櫛歯状部１７１ａの先端部を屈曲させた構成）の場合のそれに近似したものとなる。よって、図１４に示した電極構成の場合と同じ理由により、櫛歯状部７２ａの先端部近傍における逆回転ドメインの発生を効果的に抑制することができる。
【００８８】
なお、液晶分子２１の初期配向方向（配向処理方向）は、画素電極７１の櫛歯状部７１ａと共通電極７２の櫛歯状部７２ａが延在する方向（図３（ａ）の上下方向）に対して時計回りに１５度傾いた方向としている（同図中の傾斜した太字矢印を参照）。このため、液晶分子２１に液晶駆動電界を作用させた場合、液晶分子２１が時計回り（同図中の湾曲した太字矢印を参照）に回転するように設定されている。
【００８９】
次に、図３に示した本実施形態の液晶表示装置の製造工程を、図４及び図５を参照しながら説明する。
【００９０】
アクティブマトリックス基板は、次のようにして製造される。まず、ガラス基板１１の一面上にＣｒ膜を形成してからこれをパターン化することにより、図４（ａ）に示すような形状を持つ共通バスライン５３とゲートバスライン５５と共通電極７２用のフローティング電極８２が同時に形成される。その後、共通バスライン５３、ゲートバスライン５５及びフローティング電極８２を覆うように、ＳｉＮｘからなる層間絶縁膜５７が、ガラス基板１１の全面にわたって形成される。続いて、層間絶縁膜５７上に、薄膜トランジスタの半導体膜４３（通常はａ−Ｓｉ膜とされる）が、層間絶縁膜５７を介して対応するゲートバスライン５５と重なるように、島状のパターンで形成される。さらに、層間絶縁膜５７上に、Ｃｒ膜を形成してからこれをパターン化することにより、ドレインバスライン５６、ドレイン電極４１、ソース電極４２及び画素電極７１用のフローティング電極８１が同時に形成される（図４（ｂ）参照）。その後、層間絶縁膜５７上に、これらの構造を覆うように、ＳｉＮｘからなる保護絶縁膜５９と、感光性アクリル樹脂からなる有機層間膜６０とがこの順に重ねて形成される。続いて、保護絶縁膜５９と有機層間膜６０を貫通する矩形のコンタクトホール６１と、層間絶縁膜５７と保護絶縁膜５９と有機層間膜６０を貫通する矩形のコンタクトホール６２とが形成される（図５（ｃ）参照）。そして、有機層間膜６０上に、透明電極材料であるＩＴＯ膜を形成してからこれをパターン化することにより、有機層間膜６０上に画素電極７１と共通電極７２が形成される。画素電極７１は、コンタクトホール６１を介してソース電極４２に接触する。共通電極７２は、コンタクトホール６２を介して共通バスライン５３に接触する。こうしてアクティブマトリックス基板が製造される。
【００９１】
対向基板（カラーフィルタ基板）は、次のようにして製造される。まず、ガラス基板１２の一面上に、カラーフィルタと遮光用のブラックマトリックス（いずれも図示せず）が形成され、その後、ガラス基板１２の全面にわたって、前記カラーフィルターとブラックマトリックスを覆うようにオーバーコート膜（図示せず）が形成される。そして、このオーバーコート膜上に柱状スペーサ（図示せず）が形成される。こうして対向基板が製造される。
【００９２】
上記のようにして製造されたアクティブマトリックス基板と対向基板の表面には、それぞれ、ポリイミドからなる配向膜３１と３２が形成される。その後、配向膜３１と３２の表面は、一様に配向処理される。続いて、両基板が一定の間隔（例えば４．５μｍ程度）となるように重ね合わせられてから、液晶注入用の孔を除いて両基板の周縁がシール材で封止される。そして、真空チャンバー内で、液晶注入用の孔から両基板間の隙間内に所定のネマチック液晶（例えば屈折率異方性が０．０６７のｐ型ネマチック液晶）が注入された後、液晶注入用の孔が閉鎖される。こうして両基板が接合・一体化されてから、両基板の外表面にそれぞれ偏光板（図示せず）が貼り合わせられると、図３に示す第１実施形態の液晶表示装置が完成する。
【００９３】
なお、ｎ型のネマチック液晶を用いることもできる。その場合には、配向処理方向以外については上記とまったく同様の構成のまま、配向処理方向のみを前述の角度に対して９０度異ならせればよい。以下ではｐ型ネマチック液晶を用いた場合について説明する。
【００９４】
次に、以上の構成を持つ第１実施形態の液晶表示装置の動作について、図６を参照しながら説明する。図６では、画素電極７１と共通電極７２との間に電圧を印加して液晶駆動電界を発生させた時の様子を、液晶駆動電界の電気力線を破線で表すことによって示している。また、液晶駆動電界の作用による液晶分子２１の回転方向を、円弧状の矢印によって示している。
【００９５】
すでに述べた通り、液晶２０の初期配向方向は、画素電極７１の櫛歯状部７１ａと共通電極７２の櫛歯状部７２ａが延在する方向（図３（ａ）の上下方向）に対して時計回りに１５度傾いた方向であるため、液晶駆動電界を作用させた場合、通常の領域では液晶分子２１が時計回りに回転する。また、図６に示すように、画素電極７１の櫛歯状部７１ａの先端部の近傍および共通電極７２の櫛歯状部７２ａの基端部の近傍では、フローティング電極８１及び８２を設けたことによって、いずれも同一方向に傾斜した方向に電界が発生するので、液晶分子２１は通常の領域と同様に時計回りに回転する。つまり、逆回転ドメインの発生が抑制される。その結果、従来よりも優れた画質が得られるだけでなく、信頼性の面でも改善された液晶表示装置を実現することができる。
【００９６】
なお、本第１実施形態では、画素電極７１用にフローティング電極８１を設けると共に、共通電極７２用にフローティング電極８２をさらに設けているが、静電容量Ｃ１及びＣ２の大きさの比を十分大きくすることができるならば、フローティング電極８２は省略してもよい。これは、以下の第２及び第３実施形態についても言えることである。
【００９７】
（第２実施形態）
図７は、本発明の第２実施形態の液晶表示装置の特徴部分を示す、図６と同様の図である。本実施形態の構成は、共通電極７２の櫛歯状部７２ａの基端部の近傍と共通電極７２の主要部の右上角部の近傍にそれぞれ配置されたフローティング電極８２を省略し、その代わりに櫛歯状部７２ａの基端部に傾斜した張出部７２ｂを設け、共通電極７２の主要部の右上角部の内側に傾斜した張出部７２ｃを設けている点を除いて、上述した第１実施形態の構成と同一である。よって、第１実施形態と構成が同一の要素には第１実施形態の場合と同じ符号を付してその説明を省略する。
【００９８】
なお、図７には示されていないが、共通電極７２の櫛歯状部７２ａの先端部の近傍と共通電極７２の主要部の左下角部の近傍には、第１実施形態の構成（図３（ａ）を参照）と同様に、フローティング電極８２がそれぞれ配置されている。
【００９９】
図７において、櫛歯状部７２ａの基端部に設けられた張出部７２ｂは、同じ場所に設けられたフローティング電極８２の共通電極７２との重畳部Ｓ２’以外の部分（非重畳部）とほぼ同じ形状をしている。こうすることにより、張出部７２ｂの電位を共通電極７２の電位と等しくすることができる。
【０１００】
また、共通電極７２の主要部の右上角部の近傍に設けられた張出部７２ｃは、同じ場所に設けられたフローティング電極８２の共通電極７２との重畳部Ｓ２’’以外の部分（非重畳部）とほぼ同じ形状をしている。こうすることにより、張出部７２ｃの電位を共通電極７２の電位と等しくすることができる。
【０１０１】
本第２実施形態では、上述したように共通電極７２に張出部７２ｂ及び７２ｃを設けているので、上記第１実施形態とほぼ同様の液晶駆動電界が生成され、したがって、上記第１実施形態と同様にして逆回転ドメインの発生が抑制される。その結果、従来よりも優れた画質が得られるだけでなく、信頼性の面でも改善された液晶表示装置を実現することができる。
【０１０２】
（第３実施形態）
図８は、本発明の第３実施形態に係る液晶表示装置を示す。本実施形態の液晶表示装置の構成は、前述の特許文献７に記載された技術を参考にして、液晶駆動電界を発生させる画素電極と共通電極を屈曲させ、その屈曲部をもって液晶駆動電界の作用時の液晶分子の駆動（回転）方向を領域ごとに意図的に異ならせる構成とした点で、上記第１実施形態の構成と異なっており、それ以外の点は同じである。よって、第１実施形態と構成が同一の要素には第１実施形態の場合と同じ符号を付してその説明を省略する。
【０１０３】
本第３実施形態では、図８（ａ）に示すように、液晶駆動電界を発生させる画素電極７１及び共通電極７２は、第１実施形態の構成と同様に、相互に噛合する櫛歯状部７１ａ及び７２ａをそれぞれ有しているが、櫛歯状部７１ａ及び７２ａは、当該画素領域の概略中央部で、図の左右方向に延在する直線Ｌを境として略Ｖ字形に屈曲せしめられている。これに対応して、図の上下方向に延在するドレインバスライン５６も、同様に略Ｖ字形に屈曲せしめられている。したがって、当該画素領域の形状も略Ｖ字形に屈曲している。
【０１０４】
当該画素領域は、屈曲位置において、直線Ｌより上側の第１サブ領域１と、直線Ｌより下側の第２サブ領域２に分割されている。画素電極７１及び共通電極７２は、第１サブ領域１では図の上下方向に対して反時計回りに所定角度屈曲し、第２サブ領域２では時計回りに第１サブ領域１と同一角度屈曲している。液晶分子２１の配向処理方向は、無電界時に液晶分子２１が図の上下方向（図８の太線矢印を参照）に沿って平行に配向するように設定されている。
【０１０５】
当該画素領域中の薄膜トランジスタ４５に近い側（図８（ａ）の下側）では、フローティング電極８１と８２が省略されている。その代わりに、前述の特許文献４に記載された逆回転ドメイン防止構造を参考にして、ソース電極４２と共通バスライン５３の平面形状を図８（ｂ）と（ｃ）のように変更することにより、逆回転ドメイン防止構造を形成している。すなわち、ソース電極４２の内側の辺に、図８（ｂ）に示すように傾斜した辺を持つ二つの張出部４２ａを形成すると共に、共通バスライン５３の内側の辺に、図８（ｃ）に示すように傾斜した辺を持つ二つの張出部５３ａを形成している。これらの張出部５３ａにより、液晶駆動電界の印加時の張出部４２ａ及び５３ａの近傍における液晶分子２１の回転方向を、図８（ａ）の第２サブ領域２に示された矢印の方向にすることができる。
【０１０６】
また、当該画素領域中の薄膜トランジスタ４５から遠い側（図８（ａ）の上側）では、上記第２実施形態の構成と同様にしている。すなわち、画素電極７１の２本の櫛歯状部７１ａの先端部に、フローティング電極８１をそれぞれ配置している。そして、共通電極７２の櫛歯状部７２ａの基端部の近傍と、共通電極７２の主要部の右上角部の内側には、フローティング電極８２を配置せず、その代わりに、傾斜した張出部７２ｂ及び７２ｃをそれぞれ形成している。
【０１０７】
以上の構成を持つ本第３実施形態では、画素電極７１の櫛歯状部７１ａの先端部の近傍と共通電極７２の櫛歯状部７２ａの基端部の近傍（これらは第１サブ領域１に属する）では、図６に示したものと同様の傾斜した電界が発生する。また、画素電極７１の櫛歯状部７１ａの基端部の近傍と共通電極７２の櫛歯状部７２ａの先端部の近傍（これらは第２サブ領域２に属する）では、図６に示した電界を直線Ｌに関して反転させたものと同様の傾斜した電界が発生する。このため、当該画素領域中の液晶分子２１は、第１及び第２のサブ領域１及び２内の通常の領域と同様に、時計回りあるいは反時計回りにそれぞれ回転することになるから、両サブ領域１及び２での逆回転ドメインの発生を効果的に抑制することができる。その結果、従来よりも優れた画質が得られるだけでなく、信頼性の面でも改善された液晶表示装置を実現することができる。
【０１０８】
また、液晶駆動電圧を印加した時の液晶駆動電界は、第１サブ領域１では図の左右方向（直線Ｌの方向）に対して若干反時計回りに傾いた方向に発生し、第２サブ領域２では図の左右方向に対して若干時計回りに傾いた方向に発生する。よって、無電界時に図の上下方向に沿って一様に配向していた液晶分子２１は、当該液晶駆動電界により、第１サブ領域１では時計回りに、第２サブ領域２では反時計回りにそれぞれ回転する。このように、第１及び第２のサブ領域１及び２における液晶分子の回転方向が互いに異なることにより、視角変化に伴う表示の色付きを抑制することができる、という効果が得られる利点がある。
【０１０９】
（変形例）
上述した第１〜第３の実施形態は本発明を具体化した例を示すものである。したがって、本発明はこれらの実施形態に限定されるものではなく、本発明の趣旨を外れることなく種々の変形が可能であることは言うまでもない。
【０１１０】
例えば、上記実施形態では、画素電極または共通電極の櫛歯状部または主要部の角部の近傍に形成された各フローティング電極が、略Ｌ字形に形成されているが、上述した静電容量の関係を満たす範囲で、必要に応じて他の形状としてもよい。
【０１１１】
また、上記実施形態では、画素電極の櫛歯状部の近傍に設けられたフローティング電極と、それと部分的に重畳した画素電極の櫛歯状部とを一体とみなした場合に、略Ｌ字型の屈曲形状をなしており、その略Ｌ字型の屈曲形状を当該フローティング電極の先端からその重畳部を経由して前記画素電極の前記櫛歯状部まで辿るときの回転方向が、前記液晶の分子の正常回転方向と一致するように構成されているが、前記フローティング電極と前記画素電極の櫛歯状部の形状はこれに限定されるものではない。その形状を辿った時の回転方向が前記液晶の分子の正常回転方向と一致するものであれば、任意の形状とすることができる。
【０１１２】
さらに、上記実施形態では、画素電極用のフローティング電極に加えて、共通電極用のフローティング電極を設けているが、画素電極用のフローティング電極だけで所望の静電容量比が得られるならば、共通電極用のフローティング電極や張出部を省略してもよい。
【図面の簡単な説明】
【０１１３】
【図１】本発明の基本概念を示す液晶表示装置の画素電極及び共通電極の要部拡大平面図である。
【図２】本発明の基本概念を示す液晶表示装置の画素電極及び共通電極の要部拡大平面図で、液晶駆動電界の様子を示したものである。
【図３】（ａ）は本発明の第１実施形態に係る液晶表示装置の概略構成を示す要部平面図、（ｂ）はそのＩＩＩＢ−ＩＩＩＢ線に沿った断面図である。
【図４】本発明の第１実施形態に係る液晶表示装置の製造方法の各工程を示す要部平面図である。
【図５】本発明の第１実施形態に係る液晶表示装置の製造方法の各工程を示す要部平面図で、図４の続きである。
【図６】本発明の第１実施形態に係る液晶表示装置における液晶駆動電界の様子を示す、画素電極及び共通電極の要部拡大平面図である。
【図７】本発明の第２実施形態に係る液晶表示装置の画素電極及び共通電極の要部拡大平面図である。
【図８】（ａ）は本発明の第３実施形態に係る液晶表示装置の概略構成を示す要部平面図、（ｂ）はそのソース電極の平面図、（ｃ）はその共通バスラインの平面図である。
【図９】従来の液晶表示装置の概略構成を示す要部平面図である。
【図１０】（ａ）は図９のＸＡ−ＸＡ線に沿った断面図、（ｂ）は図９のＸＢ−ＸＢ線に沿った断面図、である。
【図１１】図９の従来の液晶表示装置の製造方法の各工程を示す要部平面図である。
【図１２】図９の従来の液晶表示装置の製造方法の各工程を示す要部平面図で、図１１の続きである。
【図１３】図９の従来の液晶表示装置における液晶駆動電界の様子を示す、画素電極及び共通電極の要部拡大平面図である。
【図１４】従来の液晶表示装置の他の例における液晶駆動電界の様子を示す、画素電極及び共通電極の要部拡大平面図である。
【図１５】従来の液晶表示装置のさらに他の例における画素電極及び共通電極の要部拡大平面図である。
【図１６】図１５の液晶表示装置における液晶駆動電界の様子を示す、画素電極及び共通電極の要部拡大平面図である。
【符号の説明】
【０１１４】
１  第１サブ領域
２  第２サブ領域
１１，１２  ガラス基板
２０  液晶
２１  液晶分子
３１，３２  配向膜
４１  ドレイン電極
４２  ソース電極
４２ａ  ソース電極の張出部
４３  半導体膜
４５  薄膜トランジスタ
５３  共通バスライン
５３ａ  共通バスラインの張出部
５５  ゲートバスライン
５６  ドレインバスライン
５７  層間絶縁膜
５９  保護絶縁膜
６０  有機層間膜
６１，６２  コンタクトホール
７１  画素電極
７１ａ  画素電極の櫛歯状部
７２  共通電極
７２ａ  共通電極の櫛歯状部
７２ｂ，７２ｃ  共通電極の張出部
８１，８２  フローティング電極
Ｓ１，Ｓ１’  フローティング電極と画素電極の重畳部
Ｓ２，Ｓ２’，Ｓ２’’  フローティング電極と共通電極の重畳部
Ｃ１，Ｃ４  フローティング電極−画素電極間の静電容量
Ｃ２，Ｃ３  フローティング電極−共通電極間の静電容量
【図１】
2007279634.tif 000003
【図２】
2007279634.tif 000004
【図３】
2007279634.tif 000005
【図４】
2007279634.tif 000006
【図５】
2007279634.tif 000007
【図６】
2007279634.tif 000008
【図７】
2007279634.tif 000009
【図８】
2007279634.tif 000010
【図９】
2007279634.tif 000011
【図１０】
2007279634.tif 000012
【図１１】
2007279634.tif 000013
【図１２】
2007279634.tif 000014
【図１３】
2007279634.tif 000015
【図１４】
2007279634.tif 000016
【図１５】
2007279634.tif 000017
【図１６】
2007279634.tif 000018